(57)【要約】【課題】現用トランスポンダによる通信に影響を与えずに、増設トランスポンダの設定条件を最適化することができる制御装置を提供する。【解決手段】制御装置を制御手段１０と、取得手段２０とを備える構成とする。制御手段１０は、増設される増設トランスポンダのパラメータを設定する。制御手段１０は、現用トランスポンダおよび増設トランスポンダ、または、現用トランスポンダを模擬した第１のテスト用トランスポンダおよび増設トランスポンダを模擬した第２のテスト用トランスポンダを所定の設定値に基づいて制御し、主信号と同経路の伝送路に波長または伝送路の少なくとも一方が現用トランスポンダの出力信号とは異なるようにテスト用信号を送信する。制御手段１０は、取得手段２０が取得したテスト用信号の信号品質が所定の条件を満たすとき、所定の設定値に基づいて増設トランスポンダを設定する。【選択図】      図１
2020043447.tif 000002
【特許請求の範囲】
【請求項１】
現用トランスポンダおよび増設トランスポンダ、または、前記現用トランスポンダを模擬した第１のテスト用トランスポンダおよび前記増設トランスポンダを模擬した第２のテスト用トランスポンダを、所定の設定値に基づいて制御し、主信号が伝送される伝送路と同経路の伝送路に波長または伝送される伝送路の少なくとも一方が前記現用トランスポンダからの出力信号とは異なるように主信号が伝送される伝送路と同経路の伝送路にテスト用信号を送信する制御手段と、
前記テスト用信号を受信するノードにおける前記テスト用信号の信号品質のデータを取得する取得手段と
を備え、
前記制御手段は、前記テスト用信号の信号品質が所定の条件を満たすとき、前記所定の設定値に基づいて前記増設トランスポンダを設定して前記現用トランスポンダおよび前記増設トランスポンダからの主信号の送信を制御し、
前記信号品質が前記所定の条件を満さないとき、前記所定の設定値を変更して前記テスト用信号の送信を制御することを特徴とする制御装置。
【請求項２】
前記制御手段は、前記第１のテスト用トランスポンダおよび前記第２のテスト用トランスポンダから送信される前記テスト用信号の前記主信号が伝送される前記伝送路と同一の伝送路への送信を制御し、
前記信号品質が前記所定の条件を満たすとき、前記所定の設定値として設定されている前記第１のテスト用トランスポンダと前記第２のテスト用トランスポンダの波長間隔と、前記現用トランスポンダと前記増設トランスポンダの波長間隔が一致するように前記増設トランスポンダが出力する光信号の波長を設定することを特徴とする請求項１に記載の制御装置。
【請求項３】
前記制御手段は、前記現用トランスポンダおよび前記増設トランスポンダからの出力信号をスイッチ素子の制御により分岐させ、前記テスト用信号として、前記主信号と同一の経路の伝送路を形成する光ファイバの前記主信号を伝送するコアとは異なるコアに出力し、
前記信号品質が前記所定の条件を満たすとき、前記信号品質が前記所定の条件を満たしたときの前記増設トランスポンダの前記所定の設定値を基に、前記増設トランスポンダを設定して前記主信号の出力を制御することを特徴とする請求項１に記載の制御装置。
【請求項４】
現用トランスポンダおよび増設トランスポンダ、または、前記現用トランスポンダを模擬した第１のテスト用トランスポンダおよび前記増設トランスポンダを模擬した第２のテスト用トランスポンダから、前記現用トランスポンダと前記増設トランスポンダの想定される関係性に応じた所定の設定値に基づいて、主信号が伝送される伝送路と同経路の伝送路にテスト用信号を送信する送信手段と、
前記テスト用信号を受信するノードにおける前記テスト用信号の信号品質が所定の条件を満たすとき、前記所定の設定値に基づいて前記増設トランスポンダを設定して前記現用トランスポンダおよび前記増設トランスポンダからの主信号の送信を開始し、前記信号品質が前記所定の条件を満さないとき、前記所定の設定値を変更して前記テスト用信号を送信する制御手段と
を備えることを特徴とする送信ノード。
【請求項５】
前記送信手段は、前記第１のテスト用トランスポンダおよび前記第２のテスト用トランスポンダから出力される前記テスト用信号の前記主信号が伝送される前記伝送路と同一の伝送路へ送信し、
前記制御手段は、前記信号品質が前記所定の条件を満たすとき、前記信号品質が前記所定の条件を満たしたときに、前記所定の設定値として設定されている前記第１のテスト用トランスポンダと前記第２のテスト用トランスポンダの波長間隔と、前記現用トランスポンダと前記増設トランスポンダの波長間隔が一致するように前記増設トランスポンダが出力する光信号の波長を設定することを特徴とする請求項４に記載の送信ノード。
【請求項６】
前記現用トランスポンダおよび前記増設トランスポンダからの出力信号を分岐し、前記主信号と同一の経路の伝送路を形成する光ファイバの前記主信号とは異なるコアに前記テスト用信号として送信する分岐手段をさらに備え、
前記制御手段は、前記信号品質が前記所定の条件を満たすとき、前記信号品質が前記所定の条件を満たしたときの前記増設トランスポンダの前記所定の設定値を基に、前記増設トランスポンダを設定して前記主信号の出力を制御することを特徴とする請求項４に記載の送信ノード。
【請求項７】
請求項１から３いずれかに記載の制御装置と、
請求項４から６いずれかに記載の送信ノードと、
前記送信ノードから伝送路を介して受信する光信号の信号品質を測定する手段を有する受信ノードと
を備え、
前記受信ノードは、測定した前記信号品質のデータを前記制御装置に送信し、
前記制御装置は、前記受信ノードから受信する前記信号品質のデータを基に、前記送信ノードの前記増設トランスポンダの設定を行うことを特徴とする光通信システム。
【請求項８】
現用トランスポンダおよび現用トランスポンダに加えて増設される増設トランスポンダ、または、前記現用トランスポンダを模した第１のテスト用トランスポンダおよび前記増設トランスポンダを模した第２のテスト用トランスポンダを、所定の設定値に基づいて制御し、主信号が伝送される伝送路と同経路の伝送路に波長または伝送される伝送路の少なくとも一方が前記現用トランスポンダからの出力信号とは異なるように主信号が伝送される伝送路と同経路の伝送路にテスト用信号を送信し、
前記テスト用信号の信号品質が所定の条件を満たすか判断し、
前記テスト用信号の信号品質が所定の条件を満たすとき、前記所定の設定値に基づいて前記増設トランスポンダを設定して前記現用トランスポンダおよび前記増設トランスポンダからの主信号の送信を制御し、
前記信号品質が前記所定の条件を満さないとき、前記所定の設定値を変更して前記テスト用信号の送信を制御することを特徴とする信号品質試験方法。
【請求項９】
前記第１のテスト用トランスポンダおよび前記第２のテスト用トランスポンダによる前記主信号が伝送される前記伝送路と同一の伝送路への前記テスト用信号の送信を制御し、
前記信号品質が前記所定の条件を満たすとき、前記信号品質が前記所定の条件を満たしたとき、前記所定の設定値として設定されている前記第１のテスト用トランスポンダと前記第２のテスト用トランスポンダの波長間隔と、前記現用トランスポンダと前記増設トランスポンダの波長間隔が一致するように前記増設トランスポンダが出力する光信号の波長を設定することを特徴とする請求項８に記載の信号品質試験方法。
【請求項１０】
現用トランスポンダおよび増設トランスポンダからの出力信号をスイッチ素子の制御により分岐させ、前記テスト用信号として、前記主信号と同一の経路の伝送路を形成する光ファイバの前記主信号を伝送するコアとは異なるコアに出力し、
前記信号品質が前記所定の条件を満たすとき、前記信号品質が前記所定の条件を満たしたときの前記増設トランスポンダの前記所定の設定値を基に、前記主信号の出力を制御することを特徴とする請求項８に記載の信号品質試験方法。
【発明の詳細な説明】
【技術分野】
【０００１】
本発明は、光通信装置に関するものであり、特に、通信条件の設定技術に関するものである。
【背景技術】
【０００２】
大規模な通信キャリアやサービスプロバイダを中心に、通信網やデータセンター等で用いる光通信システムのＤｉｓａｇｇｒｅｇａｔｉｏｎ化の動きが盛んになっている。Ｄｉｓａｇｇｒｅｇａｔｉｏｎ化とは、オールインワン型の通信システムをトランスポンダ、スイッチおよび光アンプ等の機能ブロック単位に分割し、必要な機能、必要な数量のみで通信システムを構成する方法である。オールインワン型では、例えば、図１２に示すように１社の通信システムベンダがシステムを構成する各機器を供給する。一方で、Ｄｉｓａｇｇｒｅｇａｔｉｏｎ型の通信システムでは、例えば、図１３に示すように複数のベンダの機器を必要な数量だけ自由に組み合わせることが可能で、通信システムのコスト削減効果が見込まれる。
【０００３】
オールインワン型では、１社の通信システムベンダが各機器を供給している。そのため、複数のノードで構成される通信網において、通信品質が確保されるように設計されている。一方で、Ｄｉｓａｇｇｒｅｇａｔｉｏｎ型の通信システムはマルチベンダの機器で構成されるため、別途、通信品質を確保する仕組みが重要となる。
【０００４】
近年の光通信システムにおいては、容量増大のため変調方式の高度化が進み、多値度が向上しているとともに、波長間隔も狭くなりチャネル間のクロストークの影響が大きくなっている。そのため、トランスポンダを増設する際に、増設トランスポンダを現用トランスポンダと異なったベンダ、異なった変調フォーマットで配置する場合もある。ベンダや変調フォーマットが異なるトランスポンダを増設する際には、増設トランスポンダによる現用トランスポンダの信号品質への影響を事前に確認する技術が重要となる。そのような、トランスポンダ増設時に、増設トランスポンダによる現用トランスポンダの信号品質への影響を事前に確認する技術としては、例えば、特許文献１乃至３のような技術が開示されている。
【０００５】
特許文献１は、トランスポンダの増設時に増設トランスポンダの影響を測定する方法に関するものである。特許文献１には、主信号の変調光に隣接するようにテスト用の連続光を配置し、増設トランスポンダの影響を測定する方法が示されている。特許文献２には、主信号の変調光と異なる波長の正弦波のパイロット信号を用いて影響を測定する方法が開示されている。また、特許文献３には主信号と同一の波長のテスト信号を用いて増設トランスポンダの影響を測定する方法が開示されている。
【先行技術文献】
【特許文献】
【０００６】
【特許文献１】特開２００５−３１１７２１号公報
【特許文献２】特開２００６−１３５７８８号公報
【特許文献３】特開２０００−１１５０７７号公報
【発明の概要】
【発明が解決しようとする課題】
【０００７】
しかしながら、特許文献１の技術は次のような点で十分ではない。特許文献１の方法では、波長間隔が狭い通信システムでは、主信号に隣接したテスト用の連続光が主信号に影響を与え得る。そのため、現用トランスポンダで通信を行いながら増設トランスポンダの設定条件の試験を行うことができない。また、引用文献２、３の方法においても、増設トランスポンダの設定条件をより最適化しようとすると現用トランスポンダによる通信に影響を与える恐れがある。よって、各引用文献の方法は、現用トランスポンダによる通信に影響を与えずに、増設トランスポンダの設定条件を最適化する技術としては、十分ではない。
【０００８】
本発明は、上記の課題を解決するため、現用トランスポンダによる通信に影響を与えずに、増設トランスポンダの設定条件を最適化することができる制御装置を提供することを目的としている。
【課題を解決するための手段】
【０００９】
上記の課題を解決するため、本発明の制御装置は、制御手段と、取得手段を備えている。制御手段は、現用トランスポンダに加えて増設される増設トランスポンダのパラメータを設定する。制御手段は、現用トランスポンダおよび増設トランスポンダ、または、現用トランスポンダを模擬した第１のテスト用トランスポンダおよび増設トランスポンダを模擬した第２のテスト用トランスポンダを所定の設定値に基づいて制御し、主信号が伝送される伝送路と同経路の伝送路に波長または伝送される伝送路の少なくとも一方が現用トランスポンダからの出力信号とは異なるようにテスト用信号を送信する。取得手段は、テスト用信号を受信するノードにおけるテスト用信号の信号品質のデータを取得する。制御手段は、テスト用信号の信号品質が所定の条件を満たすとき、所定の設定値に基づいて増設トランスポンダを設定して現用トランスポンダおよび増設トランスポンダからの主信号の送信を制御する。制御手段は、信号品質が所定の条件を満さないとき、所定の設定値を変更してテスト用信号の送信を制御する。
【００１０】
本発明の送信ノードは、送信手段と、制御手段を備えている。送信手段は、現用トランスポンダおよび増設トランスポンダ、または、現用トランスポンダを模擬した第１のテスト用トランスポンダおよび増設トランスポンダを模擬した第２のテスト用トランスポンダから、所定の設定値に基づいて、主信号が伝送される伝送路と同経路の伝送路に主信号が伝送される伝送路と同経路の伝送路に波長または伝送される伝送路の少なくとも一方が現用トランスポンダからの出力信号とは異なるようにテスト用信号を送信する。制御手段は、テスト用信号を受信するノードにおけるテスト用信号の信号品質が所定の条件を満たすとき、所定の設定値に基づいて増設トランスポンダを設定して現用トランスポンダおよび増設トランスポンダからの主信号の送信を開始する。制御手段は、信号品質が所定の条件を満さないとき、所定の設定値を変更してテスト用信号を送信する。
【００１１】
本発明の信号試験方法は、現用トランスポンダおよび現用トランスポンダに加えて増設される増設トランスポンダ、または、現用トランスポンダを模した第１のテスト用トランスポンダおよび増設トランスポンダを模した第２のテスト用トランスポンダを所定の設定値に基づいて制御し、主信号が伝送される伝送路と同経路の伝送路に波長または伝送される伝送路の少なくとも一方が現用トランスポンダからの出力信号とは異なるようにテスト用信号を送信する。本発明の信号試験方法は、テスト用信号の信号品質が所定の条件を満たすか判断する。本発明の信号試験方法は、テスト用信号の信号品質が所定の条件を満たすとき、所定の設定値に基づいて増設トランスポンダを設定して現用トランスポンダおよび増設トランスポンダからの主信号の送信を制御する。本発明の信号試験方法は、信号品質が所定の条件を満さないとき、所定の設定値を変更してテスト用信号の送信を制御する。
【発明の効果】
【００１２】
本発明によると、現用トランスポンダによる通信に影響を与えずに、増設トランスポンダの設定条件を最適化することができる。
【図面の簡単な説明】
【００１３】
【図１】本発明の第１の実施形態の構成の概要を示す図である。
【図２】本発明の第２の実施形態の通信システムの構成の概要を示す図である。
【図３】本発明の第２の実施形態のノードの構成を示す図である。
【図４】本発明の第２の実施形態のノードを構成するトランスポンダを示す図である。
【図５】本発明の第２の実施形態のＮＭＳの構成の例を示す図である。
【図６】本発明の第２の実施形態の動作フローを示す図である。
【図７】本発明の第３の実施形態のノードを構成するトランスポンダを示す図である。
【図８】本発明の第３の実施形態の動作フローを示す図である。
【図９】本発明の第４の実施形態のノードを構成するトランスポンダを示す図である。
【図１０】本発明の第４の実施形態の動作フローを示す図である。
【図１１】本発明の各実施形態における各処理を行うコンピュータの構成の例を示す図である。
【図１２】オールインワン型の通信システムの構成の例を示す図である。
【図１３】Ｄｉｓａｇｇｒｅｇａｔｉｏｎ型の通信システムの構成の例を示す図である。
【発明を実施するための形態】
【００１４】
（第１の実施形態）
本発明の第１の実施形態について図を参照して詳細に説明する。図１は、本実施形態の制御装置の構成の概要を示した図である。本実施形態の制御装置は、制御手段１０と、取得手段２０を備えている。制御手段１０は、現用トランスポンダに加えて増設される増設トランスポンダのパラメータを設定する。制御手段１０は、現用トランスポンダおよび増設トランスポンダ、または、現用トランスポンダを模擬した第１のテスト用トランスポンダおよび増設トランスポンダを模擬した第２のテスト用トランスポンダを所定の設定値に基づいて制御し、主信号が伝送される伝送路と同経路の伝送路に波長または伝送される伝送路の少なくとも一方が現用トランスポンダからの出力信号とは異なるようにテスト用信号を送信する。取得手段２０は、テスト用信号を受信するノードにおけるテスト用信号の信号品質のデータを取得する。制御手段１０は、テスト用信号の信号品質が所定の条件を満たすとき、所定の設定値に基づいて増設トランスポンダを設定して現用トランスポンダおよび増設トランスポンダからの主信号の送信を制御する。制御手段１０は、信号品質が所定の条件を満さないとき、所定の設定値を変更してテスト用信号の送信を制御する。
【００１５】
本実施形態の制御装置は、制御手段１０の制御により主信号が伝送される伝送路と同経路の伝送路に波長または伝送される伝送路の少なくとも一方が現用トランスポンダからの出力信号とは異なるようにテスト用信号を送信している。本実施形態の制御装置は、取得手段２０によってテスト用信号の信号品質のデータを取得し、制御手段１０において信号品質が所定の基準を満たすかによって増設トランスポンダの設定を行っている。このように、波長または伝送される伝送路の少なくとも一方が現用トランスポンダからの出力信号とは異なるようにテスト用信号を送信し、増設トランススポンダの設定を行うことで、現用トランスポンダの光信号へ与える影響を抑制することができる。また、増設トランスポンダの設定を、実運用時に近い条件で送信されたテスト用信号の信号品質を基に行っているので、トランスポンダの設定を最適化することができる。その結果、本実施形態の制御装置を用いることで現用トランスポンダによる通信に影響を与えずに、増設トランスポンダの設定条件を最適化することができる。
【００１６】
（第２の実施形態）
本発明の第２の実施形態について図を参照して詳細に説明する。図２は、本実施形態の通信システムの構成の概要を示したものである。本実施形態の通信システムは、各ノード間で波長多重信号の送受信を行う光通信ネットワークとして構成されている。また、本実施形態の通信システムにおいて、各ノードの設定および通信状態の監視は、ＮＭＳ（Network Management System）によって行われる。
【００１７】
本実施形態の通信システムは、ノード１０１と、ＮＭＳ１０２を備えている。各ノード１０１は、光ファイバを用いた伝送路を介して互いに接続されている。また、ＮＭＳ１０２は、各ノード１０１と通信回線を介して接続されている。
【００１８】
ノード１０１は、光伝送路２０１から入力される波長多重光信号を光のまま波長単位で経路を切り替え、光伝送路２０１へ再度、送出する機能を有する。ノード１０１の構成について説明する。図３は、送信ノードおよび受信ノードとして用いられる本実施形態のノード１０１の構成を示す図である。
【００１９】
ノード１０１は、光スイッチ２０３と、マルチキャスト光スイッチ２０５と、トランスポンダ２０６を備えている。光スイッチ２０３と、マルチキャスト光スイッチ２０５は、分岐挿入側ポート２０２を介して接続されている。また、マルチキャスト光スイッチ２０５と、トランスポンダ２０６は、トランスポンダ側ポート２０４を介して接続されている。
【００２０】
光スイッチ２０３は、光伝送路２０１を伝送される波長多重信号のうち、任意の波長の光信号の分岐および挿入を行うスイッチである。光スイッチ２０３は、ノード１０１において光伝送路２０１から分岐し、分岐挿入側ポート２０２に出力する波長多重光信号を波長単位で切り替える。また、光スイッチ２０３は、分岐挿入側ポート２０２を介して入力されるノード１０１おいて光伝送路２０１へ挿入する波長多重光信号を波長単位で切り替える。光スイッチ２０３は、例えば、ＷＳＳ（Ｗａｖｅｌｅｎｇｔｈ  Ｓｅｌｅｃｔａｂｌｅ  Ｓｗｉｔｃｈ）を用いて構成される。
【００２１】
マルチキャスト光スイッチ２０５は、分岐挿入側ポート２０２と、トランスポンダ側ポート２０４を波長単位で接続する。マルチキャスト光スイッチ２０５は、ノードコントローラ２０７の制御に基づいて、各トランスポンダ２０６と光スイッチ２０３の各ポートを接続する光スイッチである。マルチキャスト光スイッチ２０５には、ＣＤＣ（Ｃｏｌｏｒｌｅｓｓ、Ｄｉｒｅｃｔｉｏｎｌｅｓｓ、Ｃｏｎｔｅｎｔｉｏｎｌｅｓｓ）機能をもつ光スイッチが用いられる。ＣＤＣ機能を有する光スイッチとは、方路制約、波長制約および波長競合のない光スイッチのことをいう。
【００２２】
トランスポンダ２０６は、光信号の送信および受信を行う通信モジュールである。トランスポンダ２０６は、送信または受信のいずれかの機能を有するものであってもよい。トランスポンダ２０６が送受信する光信号の波長および変調方式は、ノードコントローラ２０７によって制御される。トランスポンダ２０６は、送信機能を構成する素子として割り当てられた波長の光を出力する半導体レーザーと、変調器を備えている。また、トランスポンダ２０６は、受信機能を構成する素子としてフォトダイオードを備えている。
【００２３】
ノードコントローラ２０７は、ノード１０１の各ユニットを制御する機能を有する。ノードコントローラ２０７は、ＮＭＳ１０２から受信する情報に基づいて、各トランスポンダ２０６の波長および変調方式の制御を行う。ノードコントローラ２０７は、ＮＭＳ１０２から受信する情報に基づいて、光スイッチ２０３およびマルチキャスト光スイッチ２０５の制御を行う。また、ノードコントローラ２０７は、ＮＭＳ１０２から受信する情報に基づいて、各ユニットを制御しテスト用信号の送受信を行う。ノードコントローラ２０７は、例えば、ＦＰＧＡ（Field Programmable Gate Array）等の半導体装置によって構成されている。
【００２４】
光アンプ２０８は、光伝送路における損失を補償する機能を有する。光アンプ２０８は、例えば、ＥＤＦＡ（Erbium Doped Fiber Amplifier）および励起光源を用いて構成されている。
【００２５】
本実施形態のノード１０１におけるトランスポンダ２０６の構成について説明する。図４は、送信ノードおよび受信ノードそれぞれにおけるトランスポンダ２０６の構成を模式的に示した図である。
【００２６】
図４の送信ノードおよび受信ノードは、現用トランスポンダ３０１と、増設トランスポンダ３０２と、第１のテスト用トランスポンダ３０３と、第２のテスト用トランスポンダ３０４を備えている。現用トランスポンダ３０１は、５Ｃｈの光信号の送信または受信を行う。また、増設トランスポンダ３０２は、現用トランスポンダ３０１に隣接する波長の１Ｃｈの光信号の送信または受信を行う。
【００２７】
第１のテスト用トランスポンダ３０３および第２のテスト用トランスポンダ３０４は、それぞれ割り当てられた波長の光信号の送信または受信を行う。第１のテスト用トランスポンダ３０３は、現用トランスポンダ３０１を模擬するトランスポンダとして用いられる。また、第２のテスト用トランスポンダ３０４は、増設トランスポンダ３０２を模擬するトランスポンダとして用いられる。
【００２８】
ＮＭＳ１０２は、通信ネットワークを構成する各ノード１０１を制御する制御装置である。図５は、ＮＭＳ１０２の構成の例を示したものである。図５のＮＭＳ１０２は、通信制御部１２１と、設定制御部１２２と、信号品質取得部１２３を備えている。また、ＮＭＳ１０２は、各ノード１０１と通信を行う通信モジュールを備えている。
【００２９】
通信制御部１２１は、通信ネットワーク全体の制御を行う機能を有する。通信制御部１２１は、通信ネットワークを監視し各ノード１０１の制御を行う。
【００３０】
設定制御部１２２は、各ノード１０１が送受信を行う光信号の波長および変調方式の設定を行う機能を有する。設定制御部１２２は、各ノード１０１にトランスポンダ２０６が増設される際や設定変更が行われる際に、各トランスポンダ２０６が送受信する光信号の光パワー、波長および変調方式等を設定する。設定制御部１２２は、トランスポンダ２０６の増設時等にトランスポンダ２０６が送受信する光信号の波長を設定する際に、各ノード１０１を制御して最適な波長を確認する試験を行う。また、本実施形態の設定制御部１２２は、第１の実施形態の制御手段１０に相当する。
【００３１】
信号品質取得部１２３は、受信ノード側のノード１０１から受信信号の信号品質のデータを取得する。また、本実施形態の信号品質取得部１２３は、第１の実施形態の取得手段２０に相当する。
【００３２】
通信制御部１２１、設定制御部１２２および信号品質取得部１２３は、例えば、ＦＰＧＡ等の半導体装置や半導体記憶装置を用いて構成されている。ＮＭＳ１０２が行う各処理は、ＣＰＵ（Central Processing Unit）によってコンピュータプログラムを実行することによって行われてもよい。
【００３３】
本実施形態の通信システムの動作について説明する。図６は、本実施形態の通信システムにおいて増設トランスポンダの設定値を設定する際の動作フローを示したものである。
【００３４】
トランスポンダの増設が行われたことを検知すると、ＮＭＳ１０２は、増設されたトランスポンダである増設トランスポンダの設定条件の試験を開始する。ＮＭＳ１０２は、例えば、各ノード１０１からトランスポンダが増設されたことを示す信号を受信することで、トランスポンダの増設を検知する。ＮＭＳ１０２は、作業者の走査によってトランスポンダの増設および試験の開始を判断してもよい。
【００３５】
試験を開始すると、ＮＭＳ１０２は、送信ノードと受信ノードのノードコントローラ２０７に、テスト用信号を送信するための第１のテスト用トランスポンダ３０３と、第２のテスト用トランスポンダ３０４の所定の設定値の情報を送る。所定の設定値の情報は、各テスト用トランスポンダから出力するテスト用信号の光信号の光パワー、変調方式および光信号の波長の設定値を含む情報として構成されている。光パワー、変調方式および光信号の波長の設定値の候補は、通信ネットワークの設定および波長設計に基づいてあらかじめ設定されている。また、第１のテスト用トランスポンダ３０３と第２のテスト用トランスポンダ３０４の波長間隔は、現用トランスポンダ３０１と増設トランスポンダ３０２の波長間隔として想定される波長間隔の候補から選択される。テスト用信号の光信号の波長は、現用トランスポンダ３０１とは、異なる波長帯域に設定されている。
【００３６】
ＮＭＳ１０２は送信ノードと受信ノードの第１のテスト用トランスポンダ３０３を、ノードコントローラ２０７を介して現用トランスポンダ３０１と同一の光パワーおよび同一の変調フォーマットで、異なる波長となるように設定する（ステップＳ１１）。
【００３７】
また、ＮＭＳ１０２は、各ノードの第２のテスト用トランスポンダ３０４を、ノードコントローラ２０７を介して、増設するトランスポンダにおいて想定される設定値を用いて、光パワー、変調フォーマットおよび波長の設定を行う（ステップＳ１２）。
【００３８】
テスト用トランスポンダの設定を行うと、ＮＭＳ１０２は、第１のテスト用トランスポンダ３０３および第２のテスト用トランスポンダ３０４を用いて送信ノードと受信ノード間のテスト用信号の送受信を開始する（ステップＳ１３）。
【００３９】
受信ノードの第１のテスト用トランスポンダ３０３および第２のテスト用トランスポンダ３０４は、テスト用信号を受信すると、それぞれ受信信号の信号品質を測定する。本実施形態では、受信ノードのテスト用トランスポンダは、受信信号の信号品質としてＱ値の測定を行う。信号品質を測定すると、第１のテスト用トランスポンダ３０３および第２のテスト用トランスポンダ３０４は測定した信号品質のデータを、ノードコントローラ２０７を介してＮＭＳ１０２に送る。
【００４０】
信号品質の測定データを受け取ると、ＮＭＳ１０２は、受信ノードにおける信号品質が所定の基準を満たすか、すなわち、信号品質が許容値の範囲内かを判定する（ステップＳ１４）。信号品質の所定の基準は、例えば、信号の安定した受信に必要な信号品質に対応するＱ値の範囲として設定されている。
【００４１】
信号品質が許容値の範囲外のとき（ステップＳ１５でＮｏ）、ＮＭＳ１０２は、送信ノードと受信ノードのノードコントローラ２０７に、新たな設定値に対応した光パワー、変調フォーマットおよび波長の情報を送り、新たな設定値を用いてのテスト用トランスポンダを再設定する（ステップＳ１８）。
【００４２】
新たな設定値の情報を受け取ると、各ノードコントローラ２０７は、新たな設定値で第２のテスト用トランスポンダ３０４の再設定を行う。第２のテスト用トランスポンダ３０４の再設定を行うと、ＮＭＳ１０２は、ステップＳ１３における通信テストからの動作を再度、実行する。
【００４３】
信号品質が許容値内のとき（ステップＳ１５でＹｅｓ）、ＮＭＳ１０２は、許容値内となった設定値を基に増設トランスポンダ３０２の設定を行う。ＮＭＳ１０２は、許容値内となったときの光パワーおよび変調フォーマットの設定値を、増設トランスポンダ３０２の光パワーおよび変調フォーマットの設定値として設定する。また、ＮＭＳ１０２は、許容値内となったときのテスト用トランスポンダ間の波長間隔と、現用トランスポンダ３０１と増設トランスポンダ３０２間の波長間隔が同じになるように増設トランスポンダ３０２の波長を設定する（ステップＳ１６）。
【００４４】
ＮＭＳ１０２は、増設トランスポンダの設定値を設定すると、送信ノードおよび受信ノードに増設トランスポンダ３０２の設定値の情報を送る。送信ノードおよび受信ノードのノードコントローラ２０７は、増設トランスポンダ３０２の設定値の情報を受け取ると、受け取った設定値に基づいて、増設トランスポンダ３０２を設定する。増設トランスポンダ３０２の設定が完了すると、ＮＭＳ１０２は、各ノードを制御して送信ノードと受信ノード間の通信を開始する（ステップＳ１７）。
【００４５】
本実施形態の通信システムでは、現用トランスポンダが主信号に用いている波長帯域とは異なる帯域で、現用トランスポンダおよび増設トランスポンダをそれぞれ模擬しているテスト用トランスポンダを用いて信号品質の測定を行っている。実施形態の通信システムでは、テスト用トランスポンダを用いた測定で信号品質を満たした際のテスト用トランスポンダ間の波長間隔を基に、現用トランスポンダの波長を基準として増設トランスポンダの波長を設定することで増設トランスポンダの設定を行っている。そのような構成とすることで本実施形態の通信システムは、現用トランスポンダの信号に影響を与えずに、増設トランスポンダの波長を設定することができる。
【００４６】
本実施形態の通信システムでは、テスト用トランスポンダを用いて設定した条件を基に増設トランスポンダの設定を行うことで、現用の波長への影響を抑制しつつ、増設時に近い条件で現用の波長の信号への影響を見積もることができる。その結果、通信システムは、現用トランスポンダによる光信号の送受信を行いながら増設トランスポンダの設置および運用を行うことができる。
【００４７】
（第３の実施形態）
本発明の第３の実施形態について図を参照して詳細に説明する。本実施形態の通信システムは、第２の実施形態と同様に図２のような構成を有し、図３に示すような構成のノードを備えている。よって、以下の説明では、通信システムおよび各ノードの構成については、図２および図３を参照して説明を行う。
【００４８】
第２の実施形態の通信システムは、テスト用トランスポンダを用いて、増設される波長が現用の波長に与える影響の試験を行っている。本実施形態の通信システムは、そのような構成に代えて、現用トランスポンダおよび増設トランスポンダから出力される光信号を用いて増設される波長が現用の波長に与える影響の試験を行うことを特徴とする。
【００４９】
各ノード１０１を構成するトランスポンダの構成について説明する。図７は、各ノードにおけるトランスポンダの構成を模式的に示した図である。また、送信ノードと受信ノードは、主信号を伝送する第１の光伝送路４０１と、テスト用光信号を伝送する第２の光伝送路４０４を介して接続されている。第１の光伝送路４０１および第２の光伝送路４０４は、シングルコアファイバを用いて構成されている。また、第１の光伝送路４０１は、主信号の損失を補償する光アンプ４０２を備えている。また、第２の光伝送路４０４は、テスト用信号を補償する光アンプ４０５を備えている。
【００５０】
本実施形態の現用トランスポンダ３０１および増設トランスポンダ３０２は、出力する光信号の一部を主信号と分岐して出力するモニタポートを備えている。光信号の分岐は、例えば、光カプラを用いて行われる。本実施形態では、モニタポートの分岐比は、テスト用信号と主信号が１：９設定されている。モニタポートの分岐比は、他の割合であってもよい。
【００５１】
光アンプ４０３は、現用トランスポンダ３０１および増設トランスポンダ３０２のモニタポートを介して出力されるテスト用光信号の光パワーを主信号と同じレベルまで増幅する。
【００５２】
品質モニタ部４０６は、第２の光伝送路４０４を介して受信するテスト用信号の信号品質を測定する機能を有する。品質モニタ部４０６は、例えば、第２の光伝送路４０４を介して受信するテスト用信号のＱ値を信号品質として測定する。品質モニタ部４０６は、測定した信号品質のデータを、ノードコントローラ２０７を介してＮＭＳ１０２に送る。
【００５３】
送信ノードの光スイッチ２０３は、各トランスポンダから出力される主信号およびテスト信号の波長の合波を行う。また、受信ノードの光スイッチ２０３は、受信ノードにおける各トランスポンダへの主信号およびテスト信号の波長の分波を行う。また、本実施形態においては第２の光伝送路４０４を実際の光ファイバを用いた光伝送路としているが、光伝送路をエミュレーションする数値解析を用いてもよい。
【００５４】
本実施形態の通信システムの動作について説明する。図８は、本実施形態の通信システムにおいて増設トランスポンダの設定値を設定する際の動作フローを示したものである。
【００５５】
トランスポンダの増設が行われたことを検知すると、ＮＭＳ１０２は、増設されたトランスポンダである増設トランスポンダ３０２の設定条件の試験を開始する。試験を開始すると、ＮＭＳ１０２は、増設トランスポンダ３０２について想定される設定値を用いて、光パワー、変調フォーマットおよび波長の設定を行う（ステップＳ２１）。ＮＭＳ１０２は、送信ノードと受信ノードのノードコントローラ２０７に、増設トランスポンダ３０２の設定値の情報を送る。
【００５６】
設定値の情報を受け取ると、各ノードのノードコントローラ２０７は、受け取った設定値の情報に基づいて、光パワー、変調フォーマットおよび波長の設定を行う。
【００５７】
増設トランスポンダ３０２の設定を行うと、ＮＭＳ１０２は、各ノードにテスト用信号の送受信を開始する指示を送る。テスト用信号の送受信の開始の指示を受け取ると、送信ノードのノードコントローラ２０７は、モニタポートのみを開放し、現用トランスポンダ３０１および増設トランスポンダからの光信号が合波されたテスト信号を送出する（ステップＳ２２）。このとき、現用トランスポンダ３０１は、主信号の送信を継続していてもよい。
【００５８】
テスト用信号が送出されると、光アンプ４０３は、第１の光伝送路４０１を伝送される主信号の光パワーと同じレベルになるように、テスト用信号の光パワーを増幅する（ステップＳ２３）。本実施形態では、光アンプ４０３は、テスト用信号の光パワーを９倍に増幅する。光アンプ４０３において光パワーが増幅されたテスト用信号は、第２の光伝送路４０４を介して、受信ノードに送られる（ステップＳ２４）。
【００５９】
第２の光伝送路４０４を介してテスト用信号を受信すると、受信ノードの品質モニタ部４０６は、信号品質を測定する。品質モニタ部４０６は、測定した信号品質のデータをノードコントローラ２０７を介して、ＮＭＳ１０２に送る。
【００６０】
受信ノードにおける信号品質のデータを受け取ると、ＮＭＳ１０２は、受信ノードにおける信号品質が許容値の範囲内かを判定する（ステップＳ２５）。信号品質は、例えば、安定した受信処理に必要な信号品質を基に設定されたＱ値を用いて設定されている。
【００６１】
信号品質が許容値の範囲外のとき（ステップＳ２６でＮｏ）、ＮＭＳ１０２は、送信ノードと受信ノードのノードコントローラ２０７に、新たな設定値に対応した光パワー、変調フォーマットおよび波長の情報を送り、新たな設定値を用いて増設トランスポンダ３０２を再設定する（ステップＳ２８）。
【００６２】
新たな設定値の情報を受け取ると、各ノードコントローラ２０７は、新たな設定値で増設トランスポンダ３０２の再設定を行う。再設定を行うと、ステップＳ２１における増設トランスポンダ３０の設定からの動作を実行する。
【００６３】
信号品質が許容値内のとき（ステップＳ２６でＹｅｓ）、ＮＭＳ１０２は、許容値内となった設定値を基に増設トランスポンダ３０２の設定を行う。ＮＭＳ１０２は、許容値内となったときの光パワーおよび変調フォーマットの設定値を、増設トランスポンダの光パワー、変調フォーマットおよび波長の設定値として設定する。
【００６４】
ＮＭＳ１０２は、増設トランスポンダ３０２の設定値を設定すると、送信ノードおよび受信ノードに増設トランスポンダ３０２の設定値の情報を送る。送信ノードおよび受信ノードのノードコントローラ２０７は、増設トランスポンダ３０２の設定値の情報を受け取ると、受け取った設定値に基づいて、増設トランスポンダ３０２を設定する。増設トランスポンダ３０２の設定が完了すると、送信ノードと受信ノード間の通信が開始される（ステップＳ２７）。
【００６５】
本実施形態の通信システムは、現用トランスポンダと増設トランスポンダの光信号を分岐し、実際の経路と同経路の光ファイバを用いて伝送された光信号の信号品質を基に、増設トランスポンダの適切な設定値を確認している。そのような構成とすることで、本実施形態の通信システムでは、現用トランスポンダでの信号の送受信および運用開始後の光信号への影響を抑制して、トランスポンダの増設を行うことができる。
【００６６】
(第４の実施形態）
本発明の第４の実施形態について図を参照して詳細に説明する。本実施形態の通信システムは、第２の実施形態と同様に図２のような構成を有し、図３に示すような構成のノードを備えている。よって、以下の説明では、通信システムおよび各ノードの構成については、図２および図３を参照して説明を行う。
【００６７】
第３の実施形態の通信システムは、主信号とテスト用信号を同経路の別の光伝送路を用いて伝送している。本実施形態の通信システムは、そのような構成に代えて、主信号を伝送する光ファイバと同一のケーブルの別のコアを用いてテスト用信号の伝送を行うことを特徴とする。
【００６８】
各ノード１０１を構成するトランスポンダの構成について説明する。図９は、各ノード１０１におけるトランスポンダの構成を模式的に示した図である。
【００６９】
各ノード１０１は、現用トランスポンダ３０１と、増設トランスポンダ３０２と、光アンプ４０３を備えている。また、受信ノードは、品質モニタ部４０６をさらに備えている。
【００７０】
送信ノードと受信ノードは、光伝送路５０１を介して接続されている。光伝送路５０１は、各トランスポンダから出力される主信号およびテスト用信号を伝送する。光伝送路５０１は、主信号およびテスト用信号にそれぞれ対応したマルチコアファイバを用いて構成されている。また、光伝送路５０１は、マルチコアファイバに対応した光アンプ５０２を備えている。光アンプ５０２は、主信号およびテスト用信号の光パワーをそれぞれ増幅することで、光伝送路５０１における損失を補償する。
【００７１】
光アンプ４０３は、現用トランスポンダ３０１および増設トランスポンダ３０２のモニタポートを介して出力されるテスト用光信号の光パワーを主信号と同じレベルまで増幅する。本実施形態では、モニタポートの分岐比は、テスト用信号と主信号が１：９設定されている。モニタポートの分岐比は、他の割合であってもよい。
【００７２】
品質モニタ部４０６は、光伝送路５０１を介して受信するテスト用信号の信号品質を測定する機能を有する。品質モニタ部４０６は、例えば、光伝送路５０１を介して受信するテスト用信号のＱ値を信号品質として測定する。品質モニタ部４０６は、測定した信号品質のデータを、ノードコントローラ２０７を介してＮＭＳ１０２に送る。
【００７３】
送信ノードの光スイッチ２０３は、各トランスポンダから出力される主信号およびテスト信号の波長の合波を行う。また、受信ノードの光スイッチ２０３は、受信ノードにおける各トランスポンダへの主信号およびテスト信号の波長の分波を行う。また、本実施形態においては光伝送路５０１を実際の光ファイバを用いた光伝送路としているが、光伝送路をエミュレーションする数値解析を用いてもよい。
【００７４】
本実施形態の通信システムの動作について説明する。図１０は、本実施形態の通信システムにおいて増設トランスポンダの設定値を設定する際の動作フローを示したものである。
【００７５】
トランスポンダの増設が行われたことを検知すると、ＮＭＳ１０２は、増設されたトランスポンダである増設トランスポンダ３０２の設定条件の試験を開始する。試験を開始すると、ＮＭＳ１０２は、増設トランスポンダ３０２について想定される設定値を用いて、光パワー、変調フォーマットおよび波長の設定を行う（ステップＳ３１）。ＮＭＳ１０２は、送信ノードと受信ノードのノードコントローラ２０７に、増設トランスポンダ３０２の設定値の情報を送る。
【００７６】
設定値の情報を受け取ると、各ノードのノードコントローラ２０７は、受け取った設定値の情報に基づいて、光パワー、変調フォーマットおよび波長の設定を行う。
【００７７】
増設トランスポンダ３０２の設定を行うと、ＮＭＳ１０２は、各ノードにテスト用信号の送受信を開始する指示を送る。テスト用信号の送受信の開始の指示を受け取ると、送信ノードのノードコントローラ２０７は、モニタポートのみを開放し、現用トランスポンダ３０１および増設トランスポンダからの光信号が合波されたテスト信号を送出する（ステップＳ３２）。このとき、現用トランスポンダ３０１は、主信号の送信を継続していてもよい。
【００７８】
テスト用信号が送出されると、光アンプ４０３は、光伝送路５０１を伝送される主信号の光パワーと同じレベルになるように、テスト用信号の光パワーを増幅する（ステップＳ３３）。本実施形態では、光アンプ４０３は、テスト用信号の光パワーを９倍に増幅する。光アンプ４０３において光パワーが増幅されたテスト用信号は、光伝送路５０１を介して、受信ノードに送られる（ステップＳ３４）。
【００７９】
光伝送路５０１を介してテスト用信号を受信すると、受信ノードの品質モニタ部４０６は、信号品質を測定する。品質モニタ部４０６は、測定した信号品質のデータをノードコントローラ２０７を介して、ＮＭＳ１０２に送る。
【００８０】
信号品質のデータを受け取ると、ＮＭＳ１０２は、受信ノードにおける信号品質が許容値の範囲内かを判定する（ステップＳ３５）。信号品質は、例えば、安定した受信処理に必要な信号品質を基に設定されたＱ値を用いて設定されている。
【００８１】
信号品質が許容値の範囲外のとき（ステップＳ３６でＮｏ）、ＮＭＳ１０２は、送信ノードと受信ノードのノードコントローラ２０７に、新たな設定値に対応した光パワー、変調フォーマットおよび波長の情報を送り、新たな設定値で増設トランスポンダ３０２を再設定する（ステップＳ３８）。
【００８２】
新たな設定値の情報を受け取ると、各ノードコントローラ２０７は、新たな設定値で増設トランスポンダ３０２の再設定を行う。再設定を行うと、ステップＳ３１における増設トランスポンダ３０２の設定からの動作を実行する。
【００８３】
信号品質が許容値内のとき（ステップＳ３６でＹｅｓ）、ＮＭＳ１０２は、許容値内となった設定値を基に増設トランスポンダ３０２の設定を行う。ＮＭＳ１０２は、許容値内となったときの光パワーおよび変調フォーマットの設定値を、増設トランスポンダ３０２の光パワー、変調フォーマットおよび波長の設定値として設定する。
【００８４】
ＮＭＳ１０２は、増設トランスポンダ３０２の設定値を設定すると、送信ノードおよび受信ノードに増設トランスポンダ３０２の設定値の情報を送る。送信ノードおよび受信ノードのノードコントローラ２０７は、増設トランスポンダ３０２の設定値の情報を受け取ると、受け取った設定値に基づいて、増設トランスポンダ３０２を設定する。増設トランスポンダ３０２の設定が完了すると、送信ノードと受信ノード間の通信が開始される（ステップＳ３７）。
【００８５】
本実施形態の通信システムは、現用トランスポンダと増設トランスポンダの光信号を分岐し、主信号とは別のコアを介して伝送された光信号の受信品質を基に、増設トランスポンダの適切な設定値を確認している。そのような構成とすることで、本実施形態の通信システムでは、現用トランスポンダでの信号の送受信および運用開始後の光信号への影響を抑制して、トランスポンダの増設を行うことができる。
【００８６】
各実施形態におけるＮＭＳおよびノードコントローラで実行される各処理は、コンピュータプログラムをコンピュータで実行することによって行われてもよい。図１１は、ＮＭＳおよびノードコントローラで実行される各処理を行うコンピュータプログラムを実行するコンピュータ６００の構成の例を示したものである。コンピュータ６００は、ＣＰＵ６０１と、メモリ６０２と、記憶装置６０３と、Ｉ／Ｆ（Interface）部６０４を備えている。
【００８７】
ＣＰＵ６０１は、記憶装置６０３から各処理を行うコンピュータプログラムを読み出して実行する。メモリ６０２は、ＤＲＡＭ等によって構成され、ＣＰＵ６０１が実行するコンピュータプログラムや処理中のデータが一時保存される。記憶装置６０３は、ＣＰＵ６０１が実行するコンピュータプログラム、処理結果および外部から取得した情報等が保存される。記憶装置６０３は、例えば、不揮発性の半導体記憶装置によって構成されている。記憶装置６０３には、ＨＤＤ等の他の記憶装置が用いられてもよい。Ｉ／Ｆ部６０４は、ホストや記憶媒体等の他の装置との間でデータの入出力を行うインタフェースである。Ｉ／Ｆ部６０４は、アクセス要求やデータ転送処理通知の入出力、および、ホストや記憶媒体間におけるデータ転送処理における制御信号の入出力を行うインタフェースとして機能する。
【００８８】
また、各処理に行うコンピュータプログラムは、記録媒体に格納して頒布することもできる。記録媒体としては、例えば、データ記録用磁気テープや、ハードディスクなどの磁気ディスクを用いることができる。また、記録媒体としては、ＣＤ-ＲＯＭ（Compact Disc Read Only Memory）やＤＶＤ（Digital Versatile Disc）などの光ディスクを用いることもできる。不揮発性の半導体メモリを記録媒体として用いてもよい。
【００８９】
上記の実施形態の一部又は全部は、以下の付記のようにも記載されうるが、以下には限られない。
【００９０】
（付記１）
現用トランスポンダおよび増設トランスポンダ、または、前記現用トランスポンダを模擬した第１のテスト用トランスポンダおよび前記増設トランスポンダを模擬した第２のテスト用トランスポンダを、前記現用トランスポンダと前記増設トランスポンダの想定される関係性に応じた所定の設定値に基づいて制御し、主信号が伝送される伝送路と同経路の伝送路に波長または伝送される伝送路の少なくとも一方が前記現用トランスポンダからの出力信号とは異なるように主信号が伝送される伝送路と同経路の伝送路にテスト用信号を送信する制御手段と、
前記テスト用信号を受信するノードにおける前記テスト用信号の信号品質のデータを取得する取得手段と
を備え、
前記制御手段は、前記テスト用信号の信号品質が所定の条件を満たすとき、前記所定の設定値に基づいて前記増設トランスポンダを設定して前記現用トランスポンダおよび前記増設トランスポンダからの主信号の送信を制御し、
前記信号品質が前記所定の条件を満さないとき、前記所定の設定値を変更して前記テスト用信号の送信を制御することを特徴とする制御装置。
【００９１】
（付記２）
前記制御手段は、前記第１のテスト用トランスポンダおよび前記第２のテスト用トランスポンダから送信される前記テスト用信号の前記主信号が伝送される前記伝送路と同一の伝送路への送信を制御し、
前記信号品質が前記所定の条件を満たすとき、前記所定の設定値として設定されている前記第１のテスト用トランスポンダと前記第２のテスト用トランスポンダの波長間隔と、前記現用トランスポンダと前記増設トランスポンダの波長間隔が一致するように前記増設トランスポンダが出力する光信号の波長を設定することを特徴とする付記１に記載の制御装置。
【００９２】
（付記３）
前記制御手段は、前記現用トランスポンダおよび前記増設トランスポンダからの出力信号をスイッチ素子の制御により分岐させ、前記テスト用信号として、前記主信号と同一の経路の伝送路を形成する光ファイバの前記主信号を伝送するコアとは異なるコアに出力し、
前記信号品質が前記所定の条件を満たすとき、前記信号品質が前記所定の条件を満たしたときの前記増設トランスポンダの前記所定の設定値を基に、前記増設トランスポンダを設定して前記主信号の出力を制御することを特徴とする付記１に記載の制御装置。
【００９３】
（付記４）
前記制御手段は、現用トランスポンダおよび増設トランスポンダからの出力信号をスイッチ素子の制御により分岐させ、前記テスト用信号として、前記主信号と同一の経路の伝送路を形成する前記主信号を伝送する光ファイバとは異なる光ファイバに出力し、
前記信号品質が前記所定の条件を満たすとき、前記信号品質が前記所定の条件を満たしたときの前記増設トランスポンダの前記所定の設定値を基に、前記増設トランスポンダを設定して前記主信号の出力を制御することを特徴とする付記１に記載の制御装置。
【００９４】
（付記５）
前記信号品質の前記所定の条件は、Ｑ値を基に設定されていることを特徴とする付記１から４いずれかに記載の制御装置。
【００９５】
（付記６）
現用トランスポンダおよび増設トランスポンダ、または、前記現用トランスポンダを模擬した第１のテスト用トランスポンダおよび前記増設トランスポンダを模擬した第２のテスト用トランスポンダから、前記現用トランスポンダと前記増設トランスポンダの想定される関係性に応じた所定の設定値に基づいて、主信号が伝送される伝送路と同経路の伝送路に波長または伝送される伝送路の少なくとも一方が前記現用トランスポンダからの出力信号とは異なるように主信号が伝送される伝送路と同経路の伝送路にテスト用信号を送信する送信手段と、
前記テスト用信号を受信するノードにおける前記テスト用信号の信号品質が所定の条件を満たすとき、前記所定の設定値に基づいて前記増設トランスポンダを設定して前記現用トランスポンダおよび前記増設トランスポンダからの主信号の送信を開始し、前記信号品質が前記所定の条件を満さないとき、前記所定の設定値を変更して前記テスト用信号を送信する制御手段と
を備えることを特徴とする送信ノード。
【００９６】
（付記７）
前記送信手段は、前記第１のテスト用トランスポンダおよび前記第２のテスト用トランスポンダから出力される前記テスト用信号の前記主信号が伝送される前記伝送路と同一の伝送路へ送信し、
前記制御手段は、前記信号品質が前記所定の条件を満たすとき、前記信号品質が前記所定の条件を満たしたときに、前記所定の設定値として設定されている前記第１のテスト用トランスポンダと前記第２のテスト用トランスポンダの波長間隔と、前記現用トランスポンダと前記増設トランスポンダの波長間隔が一致するように前記増設トランスポンダが出力する光信号の波長を設定することを特徴とする付記６に記載の送信ノード。
【００９７】
（付記８）
前記現用トランスポンダおよび前記増設トランスポンダからの出力信号を分岐し、前記主信号と同一の経路の伝送路を形成する光ファイバの前記主信号とは異なるコアに前記テスト用信号として送信する分岐手段をさらに備え、
前記制御手段は、前記信号品質が前記所定の条件を満たすとき、前記信号品質が前記所定の条件を満たしたときの前記増設トランスポンダの前記所定の設定値を基に、前記増設トランスポンダを設定して前記主信号の出力を制御することを特徴とする付記７に記載の送信ノード。
【００９８】
（付記９）
現用トランスポンダおよび増設トランスポンダからの出力信号を分岐し、前記主信号と同一の経路の伝送路を形成する前記主信号を伝送する光ファイバとは異なる光ファイバに前記テスト用信号として送信する分岐手段をさらに備え、
前記制御手段は、前記信号品質が前記所定の条件を満たすとき、前記信号品質が前記所定の条件を満たしたときの前記増設トランスポンダの前記所定の設定値を基に、前記増設トランスポンダを設定して前記主信号の出力を制御することを特徴とする付記７に記載の送信ノード。
【００９９】
（付記１０）
前記信号品質の前記所定の条件は、Ｑ値を基に設定されていることを特徴とする付記６から９いずれかに記載の送信ノード。
【０１００】
（付記１１）
付記１から５いずれかに記載の制御装置と、
付記６から１０いずれかに記載の送信ノードと、
前記送信ノードから伝送路を介して受信する光信号の信号品質を測定する手段を有する受信ノードと
を備え、
前記受信ノードは、測定した前記信号品質のデータを前記制御装置に送信し、
前記制御装置は、前記受信ノードから受信する前記信号品質のデータを基に、前記送信ノードの前記増設トランスポンダの設定を行うことを特徴とする光通信システム。
【０１０１】
（付記１２）
現用トランスポンダと、増設トランスポンダと、前記現用トランスポンダを模擬する第１のテスト用トランスポンダと、前記増設トランスポンダを模擬する第２のテスト用トランスポンダと、前記トランスポンダから出力される光信号を伝送する光伝送路と、伝送損失を補償する光アンプとを備え、
前記第１のテスト用トランスポンダと前記第２のテスト用トランスポンダを用いて、前記増設トランスポンダが前記現用トランスポンダに与える影響を測定することを特徴とする信号品質試験システム。
【０１０２】
（付記１３）
前記現用トランスポンダおよび前記増設トランスポンダの出力信号を伝送する前記光伝送路と、前記第１のテスト用トランスポンダおよび前記第２のテスト用トランスポンダの出力信号を伝送する前記光伝送路とが同一であることを特徴とする付記１２に記載の信号品質試験システム。
【０１０３】
（付記１４）
前記第１のテスト用トランスポンダおよび前記第２のテスト用トランスポンダの波長が前記現用トランスポンダおよび前記増設トランスポンダの波長と異なることを特徴とする付記１３に記載の信号品質試験システム。
【０１０４】
（付記１５）
前記現用トランスポンダおよび前記増設トランスポンダの出力信号を伝送する前記光伝送路と、前記第１のテスト用トランスポンダおよび前記第２のテスト用トランスポンダの出力信号を伝送する前記光伝送路が異なることを特徴とする付記１３に記載の信号品質試験システム。
【０１０５】
（付記１６）
前記現用トランスポンダおよび前記増設トランスポンダの出力信号を伝送する前記光伝送路がマルチコアファイバの第１のコアであり、前記第１のテスト用トランスポンダおよび前記第２のテスト用トランスポンダの出力信号を伝送する前記光伝送路が前記マルチコアファイバの前記第１のコアとは異なる第２のコアであることを特徴とする付記１５に記載の信号品質試験システム。
【０１０６】
（付記１７）
主信号の一部を分岐して出力するモニタポートを有する現用トランスポンダと、主信号の一部を分岐して出力するモニタポートを有する増設トランスポンダと、前記モニタポートからの出力を増幅する第１の光アンプと、前記トランスポンダからそれぞれ出力される光信号を伝送する光伝送路と、伝送損失を補償する第２の光アンプとを備え、
前記モニタポートからの出力を用いて、前記増設トランスポンダが前記現用トランスポンダ与える影響を測定することを特徴とする伝送信号試験システム。
【０１０７】
（付記１８）
前記現用トランスポンダおよび前記増設トランスポンダの信号を伝送する前記光伝送路と、前記モニタポートからの出力を伝送する前記光伝送路が異なることを特徴とする前記付記１７に記載の伝送信号試験システム。
【０１０８】
（付記１９）
前記現用トランスポンダおよび前記増設トランスポンダの信号を伝送する前記光伝送路がマルチコアファイバの第１のコアであり、前記モニタポートからの出力を伝送する前記光伝送路が前記マルチコアファイバの前記第１のコアとは異なる第２のコアであることを特徴とする付記１８に記載の信号品質試験システム。
【０１０９】
（付記２０）
現用トランスポンダおよび現用トランスポンダに加えて増設される増設トランスポンダ、または、前記現用トランスポンダを模した第１のテスト用トランスポンダおよび前記増設トランスポンダを模した第２のテスト用トランスポンダを、前記現用トランスポンダと前記増設トランスポンダの想定される関係性に応じた所定の設定値に基づいて制御し、主信号が伝送される伝送路と同経路の伝送路に波長または伝送される伝送路の少なくとも一方が前記現用トランスポンダからの出力信号とは異なるように主信号が伝送される伝送路と同経路の伝送路にテスト用信号を送信し、
前記テスト用信号の信号品質が所定の条件を満たすか判断し、
前記テスト用信号の信号品質が所定の条件を満たすとき、前記所定の設定値に基づいて前記増設トランスポンダを設定して前記現用トランスポンダおよび前記増設トランスポンダからの主信号の送信を制御し、
前記信号品質が前記所定の条件を満さないとき、前記所定の設定値を変更して前記テスト用信号の送信を制御することを特徴とする信号品質試験方法。
【０１１０】
（付記２１）
前記第１のテスト用トランスポンダおよび前記第２のテスト用トランスポンダによる前記主信号が伝送される前記伝送路と同一の伝送路への前記テスト用信号の送信を制御し、
前記信号品質が前記所定の条件を満たすとき、前記信号品質が前記所定の条件を満たしたとき、前記所定の設定値として設定されている前記第１のテスト用トランスポンダと前記第２のテスト用トランスポンダの波長間隔と、前記現用トランスポンダと前記増設トランスポンダの波長間隔が一致するように前記増設トランスポンダが出力する光信号の波長を設定することを特徴とする付記２０に記載の信号品質試験方法。
【０１１１】
（付記２２）
現用トランスポンダおよび増設トランスポンダからの出力信号をスイッチ素子の制御により分岐させ、前記テスト用信号として、前記主信号と同一の経路の伝送路を形成する光ファイバの前記主信号を伝送するコアとは異なるコアに出力し、
前記信号品質が前記所定の条件を満たすとき、前記信号品質が前記所定の条件を満たしたときの前記増設トランスポンダの前記所定の設定値を基に、前記主信号の出力を制御することを特徴とする付記２０に記載の信号品質試験方法。
【０１１２】
（付記２３）
現用トランスポンダおよび増設トランスポンダからの出力信号をスイッチ素子の制御により分岐させ、前記テスト用信号として、前記主信号と同一の経路の伝送路を形成する前記主信号を伝送する光ファイバとは異なる光ファイバに出力し、
前記信号品質が前記所定の条件を満たすとき、前記信号品質が前記所定の条件を満たしたときの前記増設トランスポンダの前記所定の設定値を基に、前記主信号の出力を制御することを特徴とする付記２０に記載の信号品質試験方法。
【０１１３】
（付記２４）
受信ノードにおいて前記伝送路を介して受信する前記テスト用信号を受信し、
前記テスト用信号の前記信号品質を測定し、
前記受信ノードにおいて測定された前記信号品質を基に、前記テスト用信号の信号品質が前記所定の条件を満たすか判断することを特徴とする付記２０から２３いずれかに記載の信号品質試験方法。
【符号の説明】
【０１１４】
１０    制御手段
２０    取得手段
１０１    ノード
１０２    ＮＭＳ
１２１    通信制御部
１２２    設定制御部
１２３    信号品質取得部
２０１    光伝送路
２０２    分岐挿入側ポート
２０３    光スイッチ
２０４    トランスポンダ側ポート
２０５    マルチキャスト光スイッチ
２０６    トランスポンダ
２０７    ノードコントローラ
２０８    光アンプ
３０１    現用トランスポンダ
３０２    増設トランスポンダ
３０３    第１のテスト用トランスポンダ
３０４    第２のテスト用トランスポンダ
４０１    第１の光伝送路
４０２    光アンプ
４０３    光アンプ
４０４    第２の光伝送路
４０５    光アンプ
４０６    品質モニタ部
５０１    光伝送路
５０２    光アンプ
６００    コンピュータ
６０１    ＣＰＵ
６０２    メモリ
６０３    記憶装置
６０４    Ｉ／Ｆ部
【図１】
2020043447.tif 000003
【図２】
2020043447.tif 000004
【図３】
2020043447.tif 000005
【図４】
2020043447.tif 000006
【図５】
2020043447.tif 000007
【図６】
2020043447.tif 000008
【図７】
2020043447.tif 000009
【図８】
2020043447.tif 000010
【図９】
2020043447.tif 000011
【図１０】
2020043447.tif 000012
【図１１】
2020043447.tif 000013
【図１２】
2020043447.tif 000014
【図１３】
2020043447.tif 000015